(57)【要約】本発明は温水を用いた温熱バンドに関する。本発明の第１実施例による温熱バンドは、人体の膝部位を包めるように形成され、左右側面の中心部分が内側に凹み込まれた空間部が形成されたバンド部；及び前記空間部からはみ出さないように前記バンド部の内部に長さ方向にジグザグに配設され、流入口及び流出口が備えられる温水ホース；を含み、前記バンド部の長さ方向の中央部を膝裏に位置させ、それを基準に膝部位に巻き包んだとき、前記バンド部の左右側面に形成された空間部が膝に位置して前記バンド部の外部に膝が露出することを特徴とする。【選択図】図１
2013533090.tif 000002
【特許請求の範囲】
【請求項１】
人体の膝部位を包めるように形成され、左右側面の中心部分が内側に凹み込まれた空間部が形成されたバンド部と、
前記空間部からはみ出さないように前記バンド部の内部に長さ方向にジグザグに配設され、流入口及び流出口が備えられる温水ホースと、を含み、
前記バンド部の長さ方向の中央部を膝裏に位置させ、それを基準に膝部位に巻き包んだとき、前記バンド部の左右側面に形成された空間部が膝に位置して前記バンド部の外部に膝が露出することを特徴とする温水を用いた温熱バンド。
【請求項２】
前記バンド部が、左右側面の中心部分を基準に上部が下部より相対的に広い幅を有するように形成されたことを特徴とする請求項１に記載の温水を用いた温熱バンド。
【請求項３】
人体の腹部と腰を巻き包めるように形成され、長さ方向の中央部が相対的に幅が広く、前記中央部を基準に腹部と腰を巻き包めるバンド部と、
前記バンド部の内部に備えられ、前記中央部を少なくとも一回以上周回してから長さ方向にジグザグに配設され、中央部周辺に流入口及び流出口が備えられる温水ホースと、を含み、
前記バンド部の中央部を腹部の丹田部位に位置させ、前記バンド部を中央部を基準に腹部と腰に巻き包んだとき、前記中央部に位置する温水ホースが腹部の丹田部位を少なくとも一回以上周回することを特徴とする温水を用いた温熱バンド。
【請求項４】
前記温水ホースに加熱された温水を循環させるための温水ボイラーをさらに含むことを特徴とする請求項１または請求項３に記載の温水を用いた温熱バンド。
【請求項５】
前記温水ボイラーと前記温水ホースの流入口及び流出口とを相互連結する温水供給ホースをさらに含むことを特徴とする請求項４に記載の温水を用いた温熱バンド。
【請求項６】
前記温水ホース及び前記温水供給ホースは軟質の材質でなることを特徴とする請求項５に記載の温水を用いた温熱バンド。
【請求項７】
前記温水供給ホースは前記流入口及び流出口に着脱可能であることを特徴とする請求項６に記載の温水を用いた温熱バンド。
【請求項８】
前記温水ホースが曲げられる部分は、温水ホースが折られることを防止するための弾性材質の保護パイプで包まれていることを特徴とする請求項７に記載の温水を用いた温熱バンド。
【請求項９】
前記保護パイプは弾性材質でなるバネ状であることを特徴とする請求項８に記載の温水を用いた温熱バンド。
【発明の詳細な説明】
【技術分野】
【０００１】
本発明は、温水ボイラーによって加熱された温水を用いる温熱バンドに関し、より詳しくは、温水を用いて膝部位、腰及び腹部に効果的に温熱効果を伝達できる温水を用いた温熱バンドに関する。
【背景技術】
【０００２】
人体の関節の数は１００個以上にも及び、そのうち最も多く使用される関節の１つが膝関節である。膝関節は大腿骨と下腿骨との間で緩衝作用をする軟骨組織、その周辺を支持する靭帯及び筋肉で構成されている。
【０００３】
一般に、年を取るにつれて、膝関節が摩耗したり、関節を支持する靭帯及び筋肉の弾力性が低下することで、膝に痛みが生じる疾患である膝関節炎が発病することが多い。膝関節炎は、膝に過度な重みが加えられて周辺筋肉に負担を与える状態が続くと、筋肉が緊張し弾力性が減り、軟骨と関節包に圧迫が加えられるために進行する。初期には膝関節の周囲に熱や痛みが出て腫れ上がり、朝起きるときこちこちな感じがする。このような症状が続けば、軟骨が損傷して屈曲し、関節の運動範囲が制限され、また、足の筋肉が減って関節が肥大に見える。
【０００４】
特に、梅雨時期になれば、普段はあまり感じなかった関節の痛症が酷くなる場合が多いが、これは梅雨になれば外部の気圧が低くなることで相対的に関節内の気圧が膨脹し、関節内組職の活動が旺盛になるためである。関節内部に炎症があるか、または、破裂された関節軟骨が浮遊しながら周辺組職を刺激し、痛症が悪化する。
【０００５】
現在まで知られた膝関節炎の治療方法としては、薬物治療、手術療法、物理治療などがある。手術療法は、薬物治療では症状が好転せず、病気の悪化が予想される患者に適用され、来院する患者の１０〜２０％程度がこれに該当する。また、物理治療には、寒冷治療と温熱治療がある。寒冷治療は、外傷による関節痛症に主に適用され、外傷後４８時間以内に最も好適な治療方法である。寒冷湿布を通じて筋肉温度を低下させ、血管を収縮させて血流量を減少させることで、運動神経と感覚の伝導速度を遅らせて痛症を減らす方法である。なお、温熱治療は、温熱を用いて硬直した筋肉を弛緩させて痛症を速かに軽減し、血管を拡張させて血流量を増加させ、血液の循環を円滑にすることで、組職内にたまっていた炎症反応の副産物、浮腫及び血腫の吸収を促進させる作用をして腫れを早急に鎮める。
【０００６】
一方、東洋医学では、人体の根は臍周辺の丹田であるとし、丹田部位を暖かくすることで全身の機運と血液循環がよくなり、健康になると言う。ところが、現代人は肉類中心の食生活により腹部肥満が増えており、椅子に座って生活する時間は増える一方運動量は減るために、腰の弱化による腰部位の痛みを訴える場合が多く発生している。
【０００７】
従来、上記した膝部位、腰及び腹部に対する温熱治療のために、パウチ形態のパックに温水を入れ、それで膝周辺を包むか、腰と腹部を巻き包む方法、及び電気を用いる面状発熱体から高温が発生するパッドやベルト形態のバンドが主に使用されていた。ところが、前者の場合、使用が煩雑で不便であり、後者の電気を用いる方法の場合、電気を用いることで火事または感電事故の危険性が高く、自体の電気的特性によって人体に有害な電磁波を発するという問題点があった。また、多様な身体部位に適用したとき、着用が不便であった。特に、膝部位に適用する場合、バンドの屈伸性が悪く、屈曲のある膝部位に密着して着用し難く、膝の動きに妨げになった。
【０００８】
それ故に、本発明が属した技術分野では、人体に有害な電磁波の影響から安全であって、膝部位、腰及び腹部に便利且つ効果的に温熱効果を伝達できる方案が切実に求められている。
【発明の概要】
【発明が解決しようとする課題】
【０００９】
本発明は、上記問題点に鑑みてなされたものであり、温水を用いて膝部位、腰及び腹部に効果的に温熱効果を伝達できる温水を用いた温熱バンドを提供することを目的とする。
【００１０】
また、本発明は、膝に適用する場合、膝が動いても膝部位に緊密に密着させて着用できる温水を用いた温熱バンドを提供することを他の目的とする。
【課題を解決するための手段】
【００１１】
上記の目的を達成するため、本発明の一態様による温水を用いた温熱バンドは、人体の膝部位を包めるように形成され、左右側面の中心部分が内側に凹み込まれた空間部が形成されたバンド部；及び前記空間部からはみ出さないように前記バンド部の内部に長さ方向にジグザグに配設され、流入口及び流出口が備えられる温水ホース；を含み、前記バンド部の長さ方向の中央部を膝裏に位置させ、それを基準に膝部位に巻き包んだとき、前記バンド部の左右側面に形成された空間部が膝に位置して前記バンド部の外部に膝が露出することを特徴とする。
【００１２】
望ましくは、前記バンド部が左右側面の中心部分を基準に上部が下部より相対的に広い幅を有するように形成される。
【００１３】
上記の他の目的を達成するため、本発明の他の態様によれば、人体の腹部と腰を巻き包めるように形成され、長さ方向の中央部が相対的に幅が広く、該中央部を基準に腹部と腰を巻き包めるバンド部；及び前記バンド部の内部に備えられ、前記中央部を少なくとも一回以上周回してから長さ方向にジグザグに配設され、中央部周辺に流入口及び流出口が備えられる温水ホース；を含み、前記バンド部の中央部を腹部の丹田部位に位置させ、該中央部を基準に前記バンド部を腹部と腰に巻き包んだとき、前記中央部に位置する温水ホースが腹部の丹田部位を少なくとも一回以上周回することを特徴とする。
【００１４】
望ましくは、前記温水ホースに加熱された温水を循環させるための温水ボイラーをさらに含む。
【００１５】
望ましくは、前記温水ボイラーと前記温水ホースの流入口及び流出口とを相互連結する温水供給ホースをさらに含む。
【００１６】
望ましくは、前記温水ホース及び前記温水供給ホースは軟質の材質でなる。
【００１７】
望ましくは、前記温水供給ホースは前記流入口及び流出口に着脱可能である。
【００１８】
望ましくは、前記温水ホースが曲げられる部分は、温水ホースが折られることを防止するための弾性材質の保護パイプで包まれ、前記保護パイプは弾性材質でなるバネ状である。
【発明の効果】
【００１９】
本発明によれば、電気を使用しないことで、有害電磁波の影響から安全であって、膝部位、腰及び腹部に効果的に温熱効果を伝達できる温熱バンドを提供することができる。また、膝部位に適用する場合、膝が動いても膝部位に緊密に密着させて着用でき、膝の治療に効果的な部位に温熱を伝達することができるため、膝の治療により効果的である。また、腰と腹部に適用する場合、人体の中心とも言える丹田部位により暖かい温熱を与えることで、丹田部位の血液循環を促進し人体の新陳代謝を活性化させ、消化障害、冷え症、生理痛、便秘、腹部肥満などの治療に役立ち、自律神経系のバランスや免疫力機能が強化する効果が得られる。また、温水ホースが曲げられる区間を保護でき、温水ホースが損傷することを防止することができる。
【図面の簡単な説明】
【００２０】
本明細書に添付される次の図面は、本発明の望ましい実施例を例示するものであり、発明の詳細な説明とともに本発明の技術的な思想をさらに理解させる役割をするため、本発明は図面に記載された事項だけに限定されて解釈されてはならない。
【００２１】
【図１】本発明の第１実施例による温水を用いた温熱バンドの構成を示した概略図である。
【図２】図１の温熱バンドを着用した状態を示した正面図である。
【図３】図１の温熱バンドを着用した状態を示した側面図である。
【図４】本発明の第２実施例による温水を用いた温熱バンドの構成を示した概略図である。
【図５】図４の温熱バンドを着用した状態を示した図である。
【図６】本発明による温水ホースの変形例を示した図である。
【発明を実施するための形態】
【００２２】
以下、添付された図面を参照して本発明の望ましい実施例を詳しく説明する。これに先立ち、本明細書及び請求範囲に使われた用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。したがって、本明細書に記載された実施例及び図面に示された構成は、本発明のもっとも望ましい一実施例に過ぎず、本発明の技術的な思想のすべてを代弁するものではないため、本出願の時点においてこれらに代替できる多様な均等物及び変形例があり得ることを理解せねばならない。
【００２３】
図１は本発明の第１実施例による温水を用いた温熱バンドの構成を示した概略図であり、図２は図１の温熱バンドを着用した状態を示した正面図であり、図３は図１の温熱バンドを着用した状態を示した側面図である。
【００２４】
図１ないし図３を参照すれば、本発明の第１実施例による温水を用いた温熱バンド１００は、バンド部１１０、温水ホース１２０、温水供給ホース１２３及び温水ボイラー１３０を含む。
【００２５】
本発明の第１実施例によるバンド部１１０は、左右側面の中心部分Ｗに内側に凹み込まれた空間部１１１ａ、１１１ｂが形成され、膝部位を巻き包める面積を有するパッド形態で形成される。すなわち、バンド部１１０は、図２に示されたように、バンド部１１０の長さ方向の中央部Ｖを膝裏に位置させ、これを基準に膝部位に巻き包めるように形成される。これにより、前記温熱バンド１００を膝部位に着用したとき、前記バンド部１１０の左右側面に形成された空間部１１１ａ、１１１ｂが膝に位置し、前記バンド部１１０の外部に膝が露出するようになる。これは屈曲のある膝を除いて膝部位を包むことで、膝の屈伸動作にもバンド部１１０を膝部位により緊密に密着させることができる。また、膝に直接的な温熱が加えられないとしても、バンド部１１０が膝周辺に緊密に密着することで、温熱効果の極大化が図れて膝の治療がより効果的になる。
【００２６】
前記バンド部１１０の内部には、前記温水ホース１２０が配設され、温水ホース１２０を通って循環する温水によって膝部位に温熱を伝達することができる。また、バンド部１１０は、左右側面の中心部分Ｗを基準に上部が下部より相対的に広い幅を有するように形成される。これは、バンド部１１０の上部が太もも部分を包み、下部が脹脛部分を包むようになったとき、太ももと脹脛との回りの差を考慮したためであり、バンド部１１０の緊密な密着に役立つ。また、バンド部１１０の左右終端には、膝部位に巻き包まれたバンド部１１０の左右終端を相互締結するためのボタン、ベルクロテープ、またはマジックテープ（登録商標）などのような締結手段１１２が設けられる。また、締結手段１１２が位置する左右終端のうち対応する相手終端を覆う終端部分には波模様を形成する。これは左右終端が相互締結されたとき、付着幅を広げることで堅固な締結を可能にし、締結を解除するときは波模様の終端によってより小さい力で締結を解除するためである。
【００２７】
本発明の第１実施例による温水ホース１２０は、耐熱性が良く、軟質の材質でなり、前記バンド部１１０の内部に長さ方向にジグザグに配設される。ただし、前記バンド部１１０の空間部１１１ａ、１１１ｂからはみ出さないように配設される。また、温水ホース１２０には、温水を流入／流出するための入出口である流入口１２１及び流出口１２２が備えられる。前記温水ホース１２０は、流入口１２１及び流出口１２２が前記温水供給ホース１２３を介して前記温水ボイラー１３０に連結され、温水ボイラー１３０で加熱された温水を循環させる。このとき、前記温水ホース１２０は前記バンド部１１０の空間部１１１ａ、１１１ｂからはみ出さないように配設されることで、図３に示されたように、膝が曲げられた状態で温水ホース１２０が折られるか又は捩らず、膝に直接的に温熱が加えられる位置を避けることができる。これにより、膝には直接的な温熱が加えられず、温水ホース１２０を通る円滑な温水の流れで膝周辺に効果的に温熱を伝達することができる。
【００２８】
図４は本発明の第２実施例による温水を用いた温熱バンドの構成を示した概略図であり、図５は図４の温熱バンドを着用した状態を示した図である。
【００２９】
図４ないし図５を参照すれば、本発明の第２実施例による温水を用いた温熱バンド２００はバンド部２１０、温水ホース２２０、温水供給ホース１２３及び温水ボイラー１３０を含む。
【００３０】
本発明の第２実施例によるバンド部２１０は、長さ方向の中央部Ｃが相対的に広い幅を有し、この中央部Ｃを基準に腹部と腰を巻き包めるベルト形態で形成される。すなわち、バンド部２１０は、前記中央部Ｃが腹部の丹田部位Ｄに位置し、この中央部Ｃを基準に腹部と腰を巻き包めるように形成される。
【００３１】
前記バンド部２１０は、内部に前記温水ホース２２０が配設され、温水ホース２２０を通って循環する温水によって腰と腹部に温熱を伝達することができる。また、バンド部２１０の長さ方向の両終端には、腰と腹部に巻かれたバンド部２１０の両終端を相互締結するためのボタン、ベルクロテープ、またはマジックテープ（登録商標）などのような締結手段２１５が設けられる。
【００３２】
本発明の第２実施例による温水ホース２２０は、耐熱性が良く、軟質の材質でなり、前記バンド部２１０の内部に長さ方向にジグザグに配設されるが、前記バンド部２１０の中央部Ｃを少なくとも一回以上周回してから長さ方向にジグザグに配設される。また、温水ホース２２０には、温水を流入／流出するための入出口である流入口２２１及び流出口２２２が備えられる。これらは前記バンド部２１０の中央部Ｃ周辺にずらして、前記流入口２２１及び流出口２２２が腹部の正面を避けてわき腹部分に位置するようにする。
【００３３】
具体的に、前記温水ホース２２０は、前記バンド部２１０の中央部Ｃ周辺のわき腹部分に流入口２２１及び流出口２２２が位置し、流入口２２１及び流出口２２２が温水供給ホース１２３を介して前記温水ボイラー１３０と連結され、流入口２２１から始めて前記バンド部２１０の中央部Ｃで少なくとも一回以上周回してから長さ方向にジグザグに配設されながら、バンド部２１０の幅方向を満たして行き、流出口２２２で終わる。これは、前記バンド部２１０の中央部Ｃを腹部の丹田部位Ｄに位置させた後、中央部Ｃを基準に腹部と腰を巻き包むように着用したとき、前記中央部Ｃに位置する温水ホース２２０が腹部の丹田部位Ｄを少なくとも一回以上周回するようになり、前記温水ボイラー１３０で加熱された温水が初めに通る経路になることで、腹部の丹田部位Ｄに他の部分に比べて相対的に高い温熱を加えることができる。
【００３４】
上述した第１及び第２実施例において共通で適用される温水供給ホース１２３は、熱遮断効率の高い材質であって、繰り返して折り曲げられても損傷しない軟質の材質でなる。また、前記温水ホース１２０、２２０の流入口１２１、２２１及び流出口１２２、２２２に連結され、前記温水ボイラー１３０で加熱された温水を供給し、温水ホース１２０、２２０を循環して温度の下がった温水を排出する。また、温水供給ホース１２３は、前記温水ホース１２０、２２０の流入口１２１、２２１及び流出口１２２、２２２との間の連結状態を解除できるように、着脱可能に構成することができる。この場合、前記流入口１２１、２２１及び流出口１２２、２２２に逆止弁機能を付与することで、温水供給ホース１２３が分離されても温水ホース１２０、２２０の内部に残留し得る水が流出することを防止することができる。このような構成により、温熱バンド１００、２００を使用しないときは、温水供給ホース１２３を分離して温熱バンド１００、２００を便利に保管することができる。
【００３５】
上述した第１及び第２実施例において共通で適用される温水ボイラー１３０としては、水を加熱して循環できる公知の温水ボイラーを使用し、例えば、温水タンク、温水タンクの水を加熱するヒーター、及び温水タンクの水を前記温水ホース１２０、２２０を通って循環させる循環ポンプを含んでなり得る。
【００３６】
図６は、本発明による温水ホースの変形例を示した図である。
【００３７】
図６に示されたように、本発明による温熱バンド１００、２００は、前記温水ホース１２０、２２０を包むことができる弾性材質でなる保護パイプ１２５をさらに含み得る。これは、前記温水ホース１２０、２２０がジグザグ状に配設されることで、温水ホース１２０、２２０が曲げられる一定区間Ｂが存在するようになり、該区間で温水ホース１２０、２２０が損傷する恐れがあるためである。
【００３８】
前記保護パイプ１２５は、前記温水ホース１２０、２２０が曲げられる区間Ｂに備えられ、温水ホース１２０、２２０が曲げられる区間Ｂの形態を維持し、この部分が損傷することを防止できる。また、保護パイプ１２５はバネ状の構造的弾性体でなるか、またはウレタンやゴム材質の材質的弾性体でなり得る。
【００３９】
以上、本発明を限定された実施例と図面に基づいて説明したが、本発明はこれによって限定されず、本発明が属する技術分野で通常の知識を持つ者によって本発明の技術思想と特許請求範囲の均等範囲内で多様な修正及び変形が可能であることは言うまでもない。
【図１】
2013533090.tif 000003
【図２】
2013533090.tif 000004
【図３】
2013533090.tif 000005
【図４】
2013533090.tif 000006
【図５】
2013533090.tif 000007
【図６】
2013533090.tif 000008
【国際調査報告】
2013533090.tif 000009
2013533090.tif 000010
2013533090.tif 000011
2013533090.tif 000012